Podtech/llm-jp-corpus-v4-ja_patent huggingface dataset:
(57)【要約】　　　（修正有）【課題】　水上で使用するラムエア式のカイトにおいて、水の進入を効果的に防ぎ、且つ空気の導入速度とそのラム圧力を高める。【解決手段】　翼本体の風圧中心且つ重心位置７に近い位置に逆流防止弁を持つエアインテイクを進行方向に対して、角度を持たせるようにボックスを敷設したカイト８。【選択図】図１
0003099782.tif 000002
【実用新案登録請求の範囲】
【請求項１】
　　　カイトの翼本体８の翼形に対して発生する風圧中心付近７に、飛行方向に対して一定の角度６を伴うように空気取り入れ口２を持つことを特徴とするカイト。
【考案の詳細な説明】
【考案の詳細な説明】
【考案が解決しようとする課題】
【０００１】　水上で行うカイトサーフィン用のカイトで、ラムエア圧力を使用して飛行するカイトは、そのラムエアを翼内に導入するために、空気取り入れ口が必要であり、且つその空気取り入れ口の位置は一定の圧力を生じさせるために翼の前縁部下面付近に敷設しなければならなかった。
【０００２】　また、水の流入を極力少なくするために、空気取り入れ口を極力小さくしその数も出来るだけ少なくしていた。　ゆえに空気の導入に時間が掛かり、圧力も低下する傾向にあった。　そして離陸や迅速さを必要とする再離陸に問題があった。
【０００３】　さらに、在来の翼前縁に敷設された空気取り入れ口は、カイト本体がその翼前縁から水に落ちた場合は、逆流防止弁を持ちながらも、水の染み込みは完全に防ぎきれず、水が入って飛行不能になることが問題であった。
【課題を解決するための手段】
【０００４】　これらの問題を解決するために、請求項１にあるように、カイトの翼本体８の下面の翼前縁より距離をおいた位置で、且つ飛行中及び離陸時に風圧が最も高くなる風圧中心位置付近７に風圧中心空気取り入れ口１を敷設した。
【考案の効果】
【００５】
【請求項１】
の本考案により、空気取り入れ口２を大きくでき、且つその敷設数を増やすことができ、離陸と再離陸が非常に容易になった。
【００６】　また、空気取り入れ口２の位置が翼前縁からも翼後縁からも距離をおいた位置に敷設できたので、在来のラムエア式カイトに比べて、水の流入を効果的に防げるようになった。
【００７】　特に、離陸特性が向上したことにより、水上のみならず、陸上あるいは雪上でも、空気取り入れ口を大きく取った陸上用専用カイトとほぼ同等に使用できるようになった。
【図面の簡単な説明】
【図１】　本考案の風圧中心空気取り入れ口１を敷設したカイトの全体図。
【図２】　風圧中心空気取り入れ口１を拡大した図。
【図３】　在来の翼前縁下面にある空気取り入れ口の角度５と本考案の風圧中心空気取り入れ口が持つ角度６を比較している図。
【図４】　風圧中心空気取り入れ口１の構造を図説した図。
【符号の説明】
　　　１　　　　風圧中心空気取り入れ口
　　　２　　　　空気取り入れ口
　　　３　　　　空気取り入れ口構成ボックス
　　　４　　　　逆流防止弁
　　　５　　　　在来の空気取り入れ口角度
　　　６　　　　空気取り入れ口角度
　　　７　　　　風圧中心位置付近
　　　８　　　　カイト本体
【図１】
0003099782.tif 000003
【図２】
0003099782.tif 000004
【図３】
0003099782.tif 000005
【図４】
0003099782.tif 000006
(57)【要約】
【課題】　納棺した遺体を葬るまでの間、できるだけ良好な保存環境を保つための補助具として効率の良い保冷具を提供する。
【解決手段】　保冷材の上側を断熱体で、下側を非断熱体で覆って、本考案の遺体納棺用保冷具とする。
【選択図】　図１
0003099785.tif 000002
【実用新案登録請求の範囲】
【請求項１】
　保冷材の上側を断熱体で、下側を非断熱体で覆って成ることを特徴とする遺体納棺用保冷具。
【考案の詳細な説明】
【考案の詳細な説明】
【技術分野】
【０００１】　この考案は、納棺した遺体をできるだけ良好な状態に保つために用いられる遺体納棺用保冷具に関する。
【背景技術】
【０００２】　納棺した遺体には、葬儀に備えて腐敗や感染防止のための投薬や血液、体液等の交換処置などが従来より行われており、またドライアイスを入れたり冷凍システムによって極低温の保冷を行うなどの処置がとられている。【０００３】　また最近では、遺体を絶縁板の上に載置してその一部に伝導体パネルを接続させ、これに高電位の陰電荷を与えて電子を継続的に加えることにより、酸化腐敗などの遺体の劣化損傷を抑制する試みも提案されており、或いは更にそれを改善するために、ドライアイスや冷凍システムを用いることなく、よりマイルドな保冷材を遺体に設置して所定レベルの負電荷を継続的に与えるという手段も提案されている（例えば、特許文献１参照。）。【０００４】
【特許文献１】　　　　　特解２００３−１６０４０１
【考案が解決しようとする課題】
【０００５】　このような従来の様々な方法のなかで、最後に述べた方法により、ある程度、遺体からの体液の流出や悪臭の問題、及び遺体の変色や死後硬直、冷凍処置による凍結などの諸問題がかなり解決できることになった。しかしながら実際の場面において、使用する保冷材について無駄や非効率があり所望する成果があがりにくい場合があった。本考案はかかる問題点を解消することを課題とする。
【課題を解決するための手段】
【０００６】　上記課題を解決するために、保冷材１を単に包んで収めるのでなく、図面のように保冷材１の上側を断熱体２で、下側を非断熱体３で覆って、本考案の遺体納棺用保冷具Ａとする。
【０００７】　本願で述べる「断熱体」及び「非断熱体」の意味は、前者は通常の梱包体より故意に断熱性が増すように配慮され、後者はその逆になるように配慮されていることをいうのであって、必ずしも熱伝導率や断熱係数を規定するものではなく、要は相対的に、前者は後者より故意かつ明白に断熱性が高くなっている。
【０００８】　具体的に断熱体２とするためには、例えば耐冷性のある発泡材を用い厚くするなどの手段があり、非断熱体３とするためには、例えば薄手の緻密材（必要に応じ金属も）シートにしたり孔あき又はネットのような空隙性のものにするなどの手段がある。
【０００９】　また非断熱体３は、単に保冷材１を収容するためのプラスチック容器や袋を形成する板もしくは布のみとし、断熱体２は、その板や布に断熱材を積層させたような形態にしてもよい。
【作用】
【００１０】　本考案はこのような構成であるから、内部に保冷材１を収容してこれを棺内の遺体の上に載置すると、その冷熱は低断熱性の非断熱体３から速やかに下方の遺体に移行するのに対し、上方には断熱体２で覆われているためなかなか冷熱が発散せず、無駄な冷熱ポテンシャルの喪失を防いで保冷材１の効力を長持ちさせることになる。従って、遺体納棺時に要求される高度な変質抑制環境を遺体の周りに現出させるにあたり、電極等を併用する限りマイルドな保冷材のレベルで十分実用性のあるものになし得るわけである。
【考案の実施の形態１】
【００１１】　図面にあるような上方に湾曲した幅１２０〜１５０ｍｍ、長さ約３００ｍｍ、厚さ４０〜６０ｍｍの中空容器をブロー成形し、内部に融点約−３０℃のポリエチレングリコール系保冷材を充填して口を溶融密閉し、更に上面に５ｍｍ厚の発泡ポリエチレンシートからなる断熱材を積層する。
【００１２】　凍結点まで冷却した上記保冷具を４〜８個、納棺し所定の電極プレートをセットした遺体の上面各所に載置する。その結果、従来の単なる容器に詰めた保冷材の場合よりはるかに長期にわたり良好な保存状態が保たれることが判明した。
【考案の実施の形態２】
【００１３】　上例とほぼ同大の袋体を図２のような三つ折りの布地で形成して同じく保冷材を収容し、上から重ねて被せる部分を綿材を含む厚手シートとする。これを上記のように遺体各所に載置したところ、同様の好結果が得られた。
【考案の効果】
【００１４】　このように本考案によれば、従来より必要とされたドライアイスや大がかりな冷凍設備等を用いることなく、電極板等の補助材を併用しわずかな保冷材のみで甚だ良好な遺体保存環境を長時間にわたり保つことができるという効果がある。
【図面の簡単な説明】
【図１】本考案一例の断面見取図
【図２】本考案別例の見取図
【符号の説明】
１……保冷材
２……断熱体
３……非断熱体
Ａ……遺体納棺用保冷具
【図１】
0003099785.tif 000003
【図２】
0003099785.tif 000004
(57)【要約】
【課題】　仏壇の左右の開き戸を開いた時に生じる無駄なスペースをなくす。仏壇の扉を閉め切ることへの家族の抵抗感を暖和する。
【解決手段】　仏壇内部に左右の開き戸のかわりにロールスクリーンを取り付ける。また透ける材質を使用することにより、閉じた時に中がやわらかく透けて見えるようにする。
【選択図】　図１
0003099781.tif 000002
【実用新案登録請求の範囲】
【請求項１】
　左右の開き戸のかわりに、前面上部内側にロールスクリーン等を取り付けた仏壇
【請求項２】
　取り付けたロールスクリーン等の材質をやや透ける素材を使用することにより、中がやわらかく透けて見える仏壇
【考案の詳細な説明】
【技術分野】
【０００１】　本考案は仏壇に関するものである。
【背景技術】
【０００２】　従来の仏壇は、開き戸が左右に取り付けられており、仏壇を開ける際は折り畳まれた戸が仏壇本来の左右寸法より左右に張り出す形になっている。
【考案の開示】
【考案が解決しようとする課題】
【０００３】　従来の家は、建築の際に仏間もしくは和室に仏壇を設置するスペースを設けて建てる場合が多く、左右の開き戸を開いても戸が邪魔にならなかったが、近年の住宅事情でわざわざ仏間を設けることは少なくなり、和室の他の家具の隣に置く場合に開いた戸が邪魔になって隣のタンスが開けられない等の不都合が生じている。【０００４】　慣習の変化とともに仏壇を閉める習慣も減ってきており、閉め切ることの抵抗感から左右の扉を一年中開いたままという家庭が多くなり、またわざわざ他の家具等と離して置くスペースがないということも多い。
【課題を解決するための手段】
【０００５】　左右の開き戸のかわりに、前面上部にロールスクリーン等を取り付けた仏壇
【考案の効果】
【０００６】　左右の開き戸をなくすことにより、他の家具類を仏壇にぴったりつけて配置することができる。【０００７】　またロールスクリーンも布製以外に竹を編んだものやすだれ状のものなど、やや透ける素材を使用すれば、仏壇を閉めても中部と全く遮断されるということがなく、ピッタリ閉め切ることを躊躇する家族の気持ちも暖和できる。
【考案を実施するための最良の形態】
【０００８】　仏壇内の前面上部に横板を渡し、その内側にロールスクリーンを取り付ける。そのためロールスクリーンを開いた状態では前から見た限りではスクリーンの下部取っ手しか見えない。またロールスクリーンの構造上左右に２ｃｍほどの隙間があくため、上部横板につなげて左右の縦板を縦に渡すことで隙間をなくす。ロールスクリーンの材質は布、紙、竹、木材、藁等を編んだものでもよく、閉めた状態でも仏壇の内部がやわらかく透けて見えることが可能。
【図面の簡単な説明】
【０００９】
【図１】本考案による、ロールスクリーンを下げた状態の全体図である。
【図２】本考案による、ロールスクリーンを上げた状態の全体図である。
【図３】本考案による、ロールスクリーンを上げた状態と下げた状態の断面図である。
【図４】本考案による、ロールスクリーンを取り付けた状態の上から見た断面図である。
【符号の説明】
【００１０】１　天板
２　ロールスクリーン
３　前面横板
４　前面縦板
【図１】
0003099781.tif 000003
【図２】
0003099781.tif 000004
【図３】
0003099781.tif 000005
【図４】
0003099781.tif 000006
(57)【要約】【課題】革靴、ズック靴、サンダル、スリッパなどの履物着用による足裏部分の発汗、ムレ、臭気などによる不快感を拭い去り、清涼感を与え、かつ除菌、消臭効果を、又は履物の底の除菌効果を容易にもたらす装置。【解決方法】靴などの履物から脱いだ足を靴下のまま、あるいは履物を履いたまま、足踏み押板１に乗せ、これを軽く押すことにより、スプリング２を伸縮させ、梃子の原理で３を支点としてエアゾール缶９のボタン６を押すことで、ノズル１２の先端からエアゾール缶９に充填された除菌剤、消臭剤等が霧状に噴霧され、足裏を、又は履物の底を除菌し、清涼にする。【効果】靴等の履物着用による足裏の臭気や不快感を除去し、除菌、消臭効果を、又は履物の底の除菌効果をきわめて容易にもたらす。【選択図】図１
0003099784.tif 000002
【実用新案登録請求の範囲】
【請求項１】
足踏み押板、スプリング、および支点を持つ鉄板、ならびに除菌剤、消臭剤などの薬液を充填したエアゾール缶と、これを倒立して支持する支持枠とからなる足裏除菌消臭装置。
【請求項２】
足踏み押板に足を乗せ、軽く押すことにより、梃子の原理の応用で、エアゾール缶のボタンを押し、薬液が噴霧され足裏または履物の底を容易に除菌、消臭することが出来る請求項１記載の装置。
【請求項３】
倒立したエアゾール缶を支持枠に嵌め込むことにより、エアゾール缶の固定およびエアゾール缶のボタンを加圧し易くすることを特徴とする請求項１〜２記載の装置。
【考案の詳細な説明】
【考案の詳細な説明】
【技術分野】
【０００１】本考案は靴などの履物着用による独特の不快な臭気などを容易に除去し、かつ、除菌等を効果的に行う装置に関する。
【背景技術】
【０００２】従来は、靴収納箱や下駄箱をオゾン発生装置や紫外線照射装置等で除菌したり、靴の底敷に脱臭剤等をしみ込ませたものを用いて消臭している。しかしながら、すでに靴をはいて後、再び脱いだとき、不快に感じる足裏などを対象とした除菌、消臭などの装置はない。敢えて足裏を除菌、消臭しようと思えば、例えば、除菌剤等を充填したエアゾール缶を、手で持って足に吹きつけることで目的は果たせるが、不安定であり、やりにくく、非効率でもあり、あまり実用には行われてはいない。また、足を置くだけで除菌、消臭を効果的に行える装置は考案されていない。
【考案の開示】
【考案が解決しょうとする課題】
【０００３】足裏の除菌、消臭を行うのに、手の操作を必要とせず、体をかがめることもなく、装置に足を置くだけで、きわめて短時間（数秒間）で効率よく、簡単に目的を果たすことが出来る。さらに、装置も簡単で、操作駆動に全く電源を必要としないので、どこでも移動が可能であり、その上、保守、管理もきわめて容易な除菌、消臭装置である。
【課題を解決するための手段】
【０００４】本考案は、靴を脱いで、あるいは履いたままで、足踏み押板に置くだけで、梃子の原理を利用し、足踏み押板の押し加減により除菌、消臭剤を適度に噴霧できる。また、足先を少し動かすことにより、足の甲から足裏まで好みの場所を選択し易くするため、エアゾール缶をやや傾けてセットすることでノズルからやや上方に噴霧するように工夫した。さらに、除菌剤などを充填したエアゾール缶をワンタッチで装填でき、かつ鉄板がエアゾール缶のボタンを押し上げたとき、エアゾール缶が浮き上がらないように支持枠の缶止めを工夫した。加うるに、エアゾール缶をセットした時、ノズルの先端が左右にずれないようにガイドを設け、一定方向に固定する工夫を凝らし、本装置を考案した。
【考案の効果】
【０００５】靴などの履物を脱ぐとき、経験する臭気などの不快感を、足踏み押板に足を乗せるだけで、きわめて簡単に除菌、消臭効果が得られ、爽快となる。また、履物のままで、除菌効果も得ることも出来る。しかも、全く電源を必要とせず、軽量で携帯可能であり、エアゾール缶の交換も、きわめて容易に出来る足裏除菌消臭装置。
【考案を実施するための最良の形態】
【０００６】本装置の前で、立ったまま、あるいは椅子に座って、片方の靴を脱ぎ足踏み押板１の上に踵を乗せ、軽くおすと、前方のノズルより除菌剤、消臭剤などの充填された薬液が霧状で噴出し、足先に当たる。これを交互に１〜５秒行えば、足裏は爽快となり、簡単に除菌および消臭を完了することができる。また、履物を履いたまま、行うと履物の除菌効果を得ることが出来る。
【実施例】
【０００７】本考案の実施例を図面に基づいて説明する。図１は本考案の足裏除菌消臭装置の側面図である。図２は支持枠底部７の平面図および側面図である。まず図１において、靴を脱いだ足を靴下のまま、または靴をはいたまま足踏み押板１に踵をのせて、足先をノズル１２の方に向ける。踵に少し力を入れ、足踏み押板１を押すと、足踏み押板１の下部のシャフトを押し下げ、スプリング２を伸縮させることで、これに固定された鉄板４が押し下げられる。その結果、梃子の原理で支点３の反対側の鉄板が持ち上げられ、除菌剤、消臭剤などの薬液を充填したエアゾール缶９のボタン６を押し込むことになる。するとノズル１２より、エアゾール缶９に充填されている薬液が足先の方にむけて噴霧される。この時、足先を適当に動かすことにより、足裏から足の甲の方まで、好みの場所に噴霧することが出来る。【０００８】本考案では、エアゾール缶９をやや傾けてセットすることで、ノズル１２の先端から、やや上向きに噴霧し、足裏にも適切に噴射される。また、エアゾール缶９はこれを支持する樹脂製の支持枠１０に倒立状態で缶止め１１により、きちっと固定される。支持枠１０は支持金具８で本体に固定されている。【０００９】支持枠底部７は図２の平面図に示すように、エアゾール缶のボタン６が挿入できるよう、中央部を丸く開け、エアゾール缶の肩でとまるようにする。さらに、この支持枠底部７にノズル１２が嵌め込めるように、ノズル１２の外径大の幅でスリットをあける。また、図２の側面図に示すように、支持枠底部７には一旦セットしたエアゾール缶９のノズル１２が左右にずれないように、ガイド５を設けて固定した。そして支持枠缶止め１１はエアゾール缶９のボタン６を押したとき、エアゾール缶９が浮き上がらないように固定すると同時に、ボタン６の押し加減の調整も兼ねている。なお、エアゾール缶は一般に正立状態で用いられるが、本装置では、倒置用エアゾール缶を使用するものとする。
【図面の簡単な説明】
【図１】足裏除菌消臭装置の側面図
【図２】支持枠底部の平面図および側面図
【符号の説明】
１足踏み押板２スプリング３支点４鉄板５固定ガイド６ボタン７支持枠底部８支持金具９エアゾール缶１０支持枠１１エアゾール缶止め１２ノズル
【図１】
0003099784.tif 000003
【図２】
0003099784.tif 000004
(57)【要約】【解決手段】布地基材１に歓迎の意を表す表題部２の文字２ａ或いは装飾部３の図柄３ａ、３ｂを刺繍装飾したウエルカムボード。【効果】種々の刺繍手法を使用することにより結婚式会場等の入口を飾るに相応しい華麗なウエルカムボードが形成され、また保存性が良いため、額縁に入れて永く保存することができ他に、ランチョンマットやクッションにも使用でき、更には椅子の背もたれ部分に縫い付けて使用することもできる。【選択図】　　　　図１
0003099067.tif 000002
【実用新案登録請求の範囲】
【請求項１】
布地基材に歓迎の意を表す表題部の文字、記号或いは装飾部の図柄等を刺繍装飾したことを特徴とする歓迎表示板。
【請求項２】
リボン刺繍、ビーズ刺繍、サテン刺繍の一種又は二種以上を使用して刺繍装飾を行う請求項１記載の歓迎表示板。
【請求項３】
立体的に刺繍装飾を行うようにした請求項１記載の歓迎表示板。
【考案の詳細な説明】
【０００１】
【考案の属する技術分野】
この考案は、例えば結婚式会場の入口に設置される歓迎表示板、所謂ウエルカムボード（登録商標）に関するものである。
【０００２】
【従来の技術】
お祝いに来られたお客様をお迎えするという意味で名付けられたウエルカムボードは、通常はホテルの結婚式会場入口に設置されるが、最近はレストランでの結婚式も人気があり、そのような会場前にも設置されることがある。
【０００３】
従来のウエルカムボードには、紙上にペインティングされたもの、ガラス或いはミラー上に彫刻されたものに大別される。
【０００４】
このうち、紙上にペインティングされたものは、細かいものから太いものまで様々なサイズの筆を用いて紙の上に水彩画の要領で色塗りして製作される。
【０００５】
一方、ガラスやミラー上に彫刻されたものは、ガラスやミラーの上に液状のゴムを塗り、その上から特殊な砂を吹き付け、その後液状ゴムを剥がして砂の吹き付けられた部分をガラス或いはミラー上に彫刻された柄、模様等として表現するものであり、中には柄、模様等に染料を塗り付けて色彩に変化を持たせるものもある。
【０００６】
【考案が解決しようとする課題】
紙上にペインティングされたものは、図案が殆ど同じものになり易く、また水彩画の手法で描画するため、描画方法が一つのセオリーに統一されてしまい、図柄に多くのバリエーションを持たせることは不可能であり、更には紙上にペインティングするため立体的な表現は不可能である等の欠点がある。
【０００７】
一方、ガラスやミラー上に彫刻されたものは、従来よりインテリア雑貨などの取り入れられている手法であり、面白味はない。
【０００８】
この他に、カールされ折り曲げられた文字形に形成された複数のリボン片が意味あるように台紙上に接着されたウエルカムボードが提案されている（特開２００３−７６２８４）。
【０００９】
また、ある表記がされたプリント写真を基板上に固着させたウエルカムボードも提案されている（特開２００１−２６５２３１）。
【００１０】
この考案は、これら従来のウエルカムボードとは異なる趣向のウエルカムボードを提案することを目的とする。
【００１１】
【課題を解決するための手段】
この考案は、上記実情に鑑み、布地基材に歓迎の意を表す表題部の文字、記号或いは装飾部の図柄等を刺繍装飾したウエルカムボードを提案するものである。
【００１２】
【考案の実施の形態】
ここで、刺繍手法としてはリボン刺繍、ビーズ刺繍、サテン刺繍など従来から使用されているの刺繍手法が使用される。
【００１３】
例えば、歓迎の意を表す表題部の文字、記号についてはビーズ刺繍を施してその部分を光輝させたり、また小さな花弁はリボン刺繍で可愛らしく表現したり、更には大きな花の花弁部分は豪華にサテン刺繍により立体的な刺繍を行うようにする。
【００１４】
この考案に係わる刺繍装飾によるウエルカムボードは、従来の紙上にペインティングしたものと異なり、立体感があり、結婚式会場等の入口を飾るに相応しい豪華さがある。
【００１５】
また、この考案に係わる刺繍装飾によるウエルカムボードは保存が容易であり、結婚後は額縁に入れて永く結婚の記念として保存することができ他に、ランチョンマットやクッションにも使用でき、更には椅子の背もたれ部分に縫い付けて使用することもできる。
【００１６】
【実施例】
以下、この考案を図示の実施例に基づいて詳細に説明すると、１はウエルカムボードを構成する大きさに裁断された布地基材、２は布地基材１の表面中央に設けられた歓迎の意を表す表題部、３は表題部２の周囲に設けられた装飾部である。
【００１７】
そして、この実施例では表題部２を構成する文字２ａはビーズ刺繍を施して表現し、また装飾部３を構成する小さな花の花弁３ａはリボン刺繍で表現し、更に大きな花の花弁部分３ｂはサテン刺繍により立体的に表現する。
【００１８】
以上の構成により、表題部２の文字２ａはビーズ刺繍により光輝して表現され、また装飾部３の小さな花の花弁３ａはリボン刺繍により可愛らしく表現され、更に大きな花の花弁部分３ｂはサテンの立体刺繍により豪華に表現され、全体的に結婚式会場の入口を飾るに相応しい華麗なウエルカムボードとなる。
【００１９】
【考案の効果】
以上要するに、この考案によれば種々の刺繍手法を使用することにより結婚式会場等の入口を飾るに相応しい華麗なウエルカムボードが形成され、また保存性が良いため、額縁に入れて永く保存することができ他に、ランチョンマットやクッションにも使用でき、更には椅子の背もたれ部分に縫い付けて使用することもできる。
【図面の簡単な説明】
【図１】この考案の一実施例を示す平面図
【図２】同上のＩ−Ｉ線断面図
【符号の説明】
１は布地基材
２は表題部
２ａは文字
３は装飾部
３ａは小さな花の花弁
３ｂは大きな花の花弁
【図１】
0003099067.tif 000003
【図２】
0003099067.tif 000004
(57)【要約】　　　（修正有）【課題】ＬＥＤ式集光照明灯の提供。【解決手段】ランプセード１を具え、該ランプセードの内部にＬＥＤランプ２２が設けられ、並びに集光カバー３が組み合わされ、外部にカバー板４が結合されて各部品が固定され、集光カバーの形状設計により、ＬＥＤランプの発射する光線が外向きに集中投射されて、集光照明の効果を獲得する。【選択図】　　　図１
0003099030.tif 000002
【実用新案登録請求の範囲】
【請求項１】
　ランプセードを具え、該ランプセードの内部に集光カバーが設けられ、該集光カバーの底面に開孔が設けられて該開孔にＬＥＤランプが結合され、開孔の内面が凸円弧面とされ、集光カバーの外部に側曲面が設けられ、ＬＥＤランプの光線が集光カバーの反射と透射により、前方に集中させられて照明を形成することを特徴とする、ＬＥＤ式集光照明灯。
【請求項２】
　請求項１記載のＬＥＤ式集光照明灯において、ランプセードの内側に集光カバーと弾性係合する結合リングが設けられたことを特徴とする、ＬＥＤ式集光照明灯。
【請求項３】
　請求項１記載のＬＥＤ式集光照明灯において、ランプセードの外部にカバー板が設けられて、該カバー板が集光カバーの上部に嵌合されて平らな表面を形成することを特徴とする、ＬＥＤ式集光照明灯。
【請求項４】
　請求項１記載のＬＥＤ式集光照明灯において、ランプセードの側部に複数の放熱孔が設けられたことを特徴とする、ＬＥＤ式集光照明灯。
【考案の詳細な説明】
【技術分野】
【０００１】
　本考案は一種のＬＥＤ式集光照明灯に関するものである。
【背景技術】
【０００２】
　周知の集光灯の構造は、ランプセードを具え、ランプセードの内部にタングステンバルブが用いられ、外部表面がガラス片で被覆され、タングステンバルブの発光に、ランプセード内の凹円弧面の反射作用が組み合わされて光線を集中して前向きに投射する。その欠点は以下のとおりである。
　１．タングステンバルブの体積は大きく、ランプセード内の大部分の空間を占用し、反射効果を下げる。
　２．タングステンバルブの消費パワーは大きく、消費電力が大きく高熱を発生し、火災を形成しやすい。
　３．タングステンバルブは変圧器の補助がなければ点灯しない。
　４．バルブの寿命が短く、損壊しやすい。
【考案の開示】
【考案が解決しようとする課題】
【０００３】
　本考案は一種のＬＥＤ式集光照明灯を提供することを目的とし、それは、ＬＥＤランプに集光カバーを組み合わせた設計により、使用寿命が長く、構造が簡単で、集光効果が良好で、且つ必要電力が少ないものとする。
【課題を解決するための手段】
【０００４】
　請求項１の考案は、ランプセードを具え、該ランプセードの内部に集光カバーが設けられ、該集光カバーの底面に開孔が設けられて該開孔にＬＥＤランプが結合され、開孔の内面が凸円弧面とされ、集光カバーの外部に側曲面が設けられ、ＬＥＤランプの光線が集光カバーの反射と透射により、前方に集中させられて照明を形成することを特徴とする、ＬＥＤ式集光照明灯としている。
　請求項２の考案は、請求項１記載のＬＥＤ式集光照明灯において、ランプセードの内側に集光カバーと弾性係合する結合リングが設けられたことを特徴とする、ＬＥＤ式集光照明灯としている。
　請求項３の考案は、請求項１記載のＬＥＤ式集光照明灯において、ランプセードの外部にカバー板が設けられて、該カバー板が集光カバーの上部に嵌合されて平らな表面を形成することを特徴とする、ＬＥＤ式集光照明灯としている。
　請求項４の考案は、請求項１記載のＬＥＤ式集光照明灯において、ランプセードの側部に複数の放熱孔が設けられたことを特徴とする、ＬＥＤ式集光照明灯としている。
【考案の効果】
【０００５】
　本考案はＬＥＤランプを発光体として採用し、それは高熱を発生しにくく、且つ使用寿命が長く、また、一般に低圧直流電源により点灯し、使用上安全であり、消費電力が低くい。また本考案は集光カバーの実施により全体構造の強度が増され、損壊しにくく、良好な集光照明機能を発生する。
【考案を実施するための最良の形態】
【０００６】
　各図に示されるように、本考案のＬＥＤ式集光照明灯は、ランプセード１、ＬＥＤランプ２、集光カバー３及びカバー板４を具え、該ランプセード１の内部に結合リング１１が設けられ、並びに表面に複数の放熱孔１２が設けられている。該集光カバー３は該結合リング１１に嵌合され、結合リング１１の対応する部分に複数のスリット１１１が設けられて弾性係止力を提供し、強固に集光カバー３と結合する。集光カバー３は実心透明体とされ、側曲面３３を具え、放物面形態に設けられ、その下部に開孔３１が設けられ、且つ開孔３１内に凸円弧面３２が設けられ、別にその表面が上平面３４とされ、ＬＥＤランプ２が適当な方式で前述の開孔３１内に固定され、その二つの導電柱２１が下向きに延伸されてランプセード１下方のコネクタに至る。ランプセード１の外部は、カバー板４が上部に組み合わされ、並びに集光カバー３の上部がカバー板４の中央孔４１内に嵌合され、平らに整った平面が形成されている。
【０００７】
　使用上、本考案のＬＥＤランプ２が点灯する時、その光線は集光カバー３に進入し、側曲面３３の設計により、ほとんどの光線が図３の矢印の方向に集中して投射され、集光照明の最良の効果を達成する。
【図面の簡単な説明】
【０００８】
【図１】本考案の分解斜視図である。
【図２】本考案の斜視図である。
【図３】本考案の断面図である。
【符号の説明】
【０００９】
１　ランプセード　　　　１１　結合リング　　１２　放熱孔
２　ＬＥＤランプ　　　　２１　導電柱　　　　３　集光カバー
３１　開孔　　　　　　　３２　凸円弧面　　　３３　側曲面
３４　上平面　　　　　　４　カバー板　　　　４１　中央孔
【図１】
0003099030.tif 000003
【図２】
0003099030.tif 000004
【図３】
0003099030.tif 000005
(57)【要約】　　　（修正有）【課題】普段着としても着られるベストで折りたため、運搬に便利で水に落ちた時、少時間でも浮く事ができ、水難事故の被害を軽減する。【解決手段】ベストの左右前身ごろ及び後ろ見ごろにペットボトルが入るポケット１を付け５００ｍｌの空のペットボトルを入れて浮力をつける。ポケットにファスナー２を付けペットボトルが取り外せポケットを収納部に入れた時の見た目は普通のベスト。折りたたんで小さくすることができ運搬に便利。脱げ防止に肩部及びウエスト部に絞り紐をつける。ベストの素材を布にして通気性をよくする。【選択図】　図１
0003099054.tif 000002
【実用新案登録請求の範囲】
【請求項１】
ベストに５００ｍｌのペットボトルが入るポケットを３箇所作り
空のペットボトルを入れて浮力をつける。
【請求項２】
ポケットにファスナーを付けてペットボトルの取り外しができ折
りたため収納ができる。
【考案の詳細な説明】
【０００１】
［従来の技術］　普段着れない、小さく折りたためないので運搬が不便。
【０００２】
［考案が解決しようとする課題］　使用する現場までの運搬が便利で水に落ちた時少時間でも浮く事ができ被害を軽減する事ができる。
【０００３】
［課題を解決するための手段］　浮力をつけるために５００ｍｌの空のペットボトルを３個使い、ペットボトルを入れるポケットにファスナーを付けペットボトルの取り外しを可能にし小さく折りたたむ。
【０００４】
［考案の実施形態］　子供に着せる。
【０００５】
［実施例］　子供に着せて遊ばせ水に入れてみる。
【０００６】
［考案の効果］　ベストにペットボトルがない時は普通に着られ、ペットボトルを付けて水に入れた時体重１８ｋｇの子供が浮く事ができ運搬は便利だった。ペットボトルは現地調達、使用後は廃棄処分できた。
【図面の簡単な説明】
【図１】本考案のベストの脇を開き収納部を開いた平面図である。
ベストの前後にペットボトルを入れるポケット、ポケットにファスナー、ポケット収納の受けと蓋、脱げ防止の肩紐とストッパー。
【図２】本考案の収納部を閉じた正面図である。
【図３】本考案のペットボトルが入った状態でベストの肩部平面図Ａ−Ａを切断し上から見た断面図である。
脱げ防止のウエスト紐、ウエスト紐を体に近つける持ち出し。
【符号の説明】
１　ポケット
２　ファスナー
３　収納の受け
４　収納の蓋
５　スナップボタン
６　肩紐
７　ストッパー
８　ウエスト紐
９　持ち出し
【図１】
0003099054.tif 000003
【図２】
0003099054.tif 000004
【図３】
0003099054.tif 000005
【手続補正書】
【提出日】平成15年7月30日(2003.7.30)
【手続補正１】
【補正対象書類名】明細書
【補正対象項目名】実用新案登録請求の範囲
【補正方法】変更
【補正の内容】
【実用新案登録請求の範囲】
【請求項１】
ベストに５００ｍｌのペットボトルが入るポケットを３箇所作り、当該ポケットに空のペットボトルを入れて浮力をつけることができるベビー用浮きベスト。
【請求項２】
ポケットにファスナーを設けた、折り畳み可能な請求項１に記載のベビー用浮きベスト。
(57)【要約】　　　（修正有）【課題】粘着テープを短く多量に使う時の面倒を解消する。【解決手段】２つの方法で、粘着テープを短く切って使うときに１回１回ハサミ等を使わなくてもよいようにした。１つは、予め短く切り、その１切れづつを剥がして使えるように、円筒型の巻き付け材に、少しづつずらし重ねて巻いた。あと１つは、任意の長さで切れるように、短く等間隔に目打ち（ミシン目）を入れ、円筒型に巻いた。【選択図】　　図３
0003099056.tif 000002
【実用新案登録請求の範囲】
【請求項１】
予め短く切り従来の円筒型に巻いた粘着テープ
【請求項２】
目打ち（ミシン目）を入れ従来の円筒型に巻いた粘着テープ
【考案の詳細な説明】
「考案の目的」　粘着テープを短く切り多量に使うときは、１回１回ハサミ等で切るので面倒。それをなくす為、２つの方法を用い、その粘着テープで面倒を解消する。
「考案の構成」　従来の粘着テープには、短く使うためのものは無い。
この考案は、２つの方法で、粘着テープを短く使うときに、ハサミ等を使わなくてもいいようにした。１つは、予め短く切り、その１切れづつを剥がして使えるように、従来の円筒型に少しづつずらして重ねて巻いた。あと１つは、任意の長さを手で切れるように、短く等間隔に目打ち（ミシン目）を入れ、従来の円筒型に巻いた。短く使うための粘着テープ。
【考案の効果】１回１回ハサミ等で短く切って使う面倒を解消した。
【図面の簡単な説明】
【図１】少しづつずらして重ねている側面図
【図２】少しづつずらして重ねている上から見た平面図
【図３】手で切るための目打ち（ミシン目）を入れている上から見た平面図
【図４】従来の粘着テープを巻いている円筒型の巻き付け材の立体図
【符号の説明】
Ａは表面
Ｂは円筒型の巻き付け材に着けておく粘着させる裏面
Ｃは少しづつずらして重ね１切れづつ剥がす部分
Ｄは手で切るための目打ち（ミシン目）を入れた部分
【図１】
0003099056.tif 000003
【図２】
0003099056.tif 000004
【図３】
0003099056.tif 000005
【図４】
0003099056.tif 000006
【手続補正書】
【提出日】平成15年7月28日(2003.7.28)
【手続補正１】
【補正対象書類名】明細書
【補正対象項目名】実用新案登録請求の範囲
【補正方法】変更
【補正の内容】
【実用新案登録請求の範囲】
【請求項１】
予め短く切り円筒型に巻いた粘着テープ
【請求項２】
目打ちを入れ円筒型に巻いた粘着テープ
(57)【要約】　　　（修正有）【課題】洗面台で歯磨きの汚れ物や毛髪が溜まっている場合に、簡単にゴミを取り除く事ができるゴミ受け皿の提供。【解決手段】パッキン２と流し口４の間に納まるように、直径８ｃｍの円形の素材を、パッキンの型に合わせてヒダを取り受け皿１を作る。受け皿の周縁部は強度を増すために素材を重ねる。【選択図】　　図５
0003099055.tif 000002
【実用新案登録請求の範囲】
【請求項１】
（１）洗面台のゴミを処理する時、水を流しながら処理していたのを、ゴミ受け皿で容易に　衛生的に処理ができる。
【考案の詳細な説明】
【０００１】
【考案の属する技術分野】
本考案は、ゴミ受け皿を利用する事により、ゴミ処理が容易で衛生的的である事、可燃ゴミとして処理できる素材を使用する事である。
【０００２】
【従来の技術】
本考案は、従来になかったものである。
【０００３】
【考案が解決しようとする課題】
本考案は、洗面台に立つ時、前任者の口から出た　歯磨きの汚物や毛髪が溜まっている場合に、ゴミ処理の不快感を取り除く事である。
【０００４】
【課題を解決するための手段】
洗面台を使用する時、洗面台に水が入っている時は　洗面台に付いているパッキンを使用する事になる。ゴミ処理の受け皿が、パッキンと流し口の間に納まる事、可燃ゴミとして処理できる素材にする事である。直径８ｃｍの円形の素材を、パッキンの型に合わせてヒダを取り　受け皿を作る。受け皿の淵の部分は、強度のため素材を重ねる。
【０００５】
【実施例】
本考案の洗面台の流し口の　ゴミ受け皿に関して、図面に基づいて以下説明すると、図１は本考案の　流し口のゴミ受け皿を、上から見た平面図である。
図２は本考案の正面から見た断面図であり、考案の骨格部分である。
【０００５】
【実施例】
図３は本考案の流し口のゴミ受け皿を、洗面台を縦に並べて設置する　系統斜視図である。図４は図１の、本考案の洗面台流し口　ゴミ受け皿を、洗面台に設置した部分の断面図である。
図５は本考案の洗面台流し口　ゴミ受け皿を設置して、洗面台に水を入れた時、洗面台を縦に並べて設置する系統斜視図である。
図６は本考案の洗面台流し口　ゴミ受け皿を設置した時の、洗面台全体の斜視図である
【０００６】
【考案の効果】
本考案を実施する事で、洗面台に出された汚物処理、毛髪処理が容易になり、清潔で衛生的である。
【０００７】
【符号の説明】
（１）流し口ゴミ受け皿
（２）洗面台に付いているパッキン
（３）流し口のつまみ付き穴空きゴミ受け
（４）流し口
（５）洗面台の水槽部分
（６）洗面台本体
【図１】
0003099055.tif 000003
【図２】
0003099055.tif 000004
【図３】
0003099055.tif 000005
【図４】
0003099055.tif 000006
【図５】
0003099055.tif 000007
【図６】
0003099055.tif 000008
【図７】
0003099055.tif 000009
【手続補正書】
【提出日】平成15年7月30日(2003.7.30)
【手続補正１】
【補正対象書類名】明細書
【補正対象項目名】実用新案登録請求の範囲
【補正方法】変更
【補正の内容】
【実用新案登録請求の範囲】
【請求項１】
洗面台の流し口のゴミ受け皿は、洗面台の流し口のパッキンの形に合わせて作られた皿の形状であり、可燃素材で形成されている特徴を持つ、洗面台の流し口のゴミ受け皿。
【手続補正２】
【補正対象書類名】明細書
【補正対象項目名】図面の簡単な説明
【補正方法】追加
【補正の内容】
【図面の簡単な説明】
【図１】本考案の洗面台の流し口のゴミ受け皿を、上から見た平面図である。
【図２】本考案の洗面台の流し口のゴミ受け皿を、正面から見た断面図であり、本考案の骨格部分である。
【図３】本考案の洗面台の流し口のゴミ受け皿を、洗面台を縦に並べて設置する系統斜視図である。
【図４】本考案の洗面台の流し口のゴミ受け皿を、洗面台に設置した部分の断面図である。
【図５】本考案の洗面台の流し口のゴミ受け皿を、設置して、洗面台に水を入れた時、洗面台を縦に並べて設置する　系統斜視図である。
【図６】本考案の洗面台の流し口のゴミ受け皿を、設置した時の、洗面台全体の斜視図である。
【図７】本考案の洗面台の流し口のゴミ受け皿を、上方側面から見た、斜視図である。
【符号の説明】
（１）洗面台の流し口のゴミ受け皿
（２）洗面台に付いているパッキン
（３）洗面台の流し口のつまみ付き　穴空きゴミ受け
（４）洗面台の流し口
（５）洗面台の水槽部分
（６）洗面台本体
(57)【要約】【課題】狭い場所での作業能率向上、手間の軽減【解決手段】食品容器（タッパ）の蓋の裏にまな板を結合する事【選択図】図１
0003099057.tif 000002
【実用新案登録請求の範囲】
【請求項１】
食品容器（タッパ）の蓋の裏がまな板になっている
【請求項２】
請求項１のいろいろな形・大きさの食品容器
【考案の詳細な説明】
【考案の属する技術分野】
【０００１】食品容器（タッパ）とまな板の結合
【従来の技術】
【０００２】該当する物が見当たらない
【考案が解決しようとする課題】
【０００３】狭い空間での場所の有効利用、時間短縮（作業能率）と手間の軽減
【課題を解決するための手段】
【０００４】食品容器（タッパ）とまな板の結合
【考案の実施の形態】
【０００５】いろいろな大きさ、形の食品容器（タッパ）の蓋の裏側が薄型まな板になっている
【考案の効果】
【０００６】食品容器（タッパ）とまな板を結合することによって、スペースが生まれ、基本的に同種類の食物を食品容器（タッパ）にいれるとすると、食物を切る度ごとに十分な洗浄を行わなくても済み、結果、狭い空間での場所の有効利用、能率があがり作業時間の短縮（作業効率向上）、手間の軽減につながる
【図面の簡単な説明】
【図１】食品容器（タッパ）の蓋を開けた上からの平面図
【図２】食品容器（タッパ）の蓋を開けた横からの断面図
【符号の説明】
１、　食品容器の蓋
２、　食品容器
３、　まな板
４、　容器の四方合体する溝
【図１】
0003099057.tif 000003
【図２】
0003099057.tif 000004
【手続補正書】
【提出日】平成15年8月14日(2003.8.14)
【手続補正１】
【補正対象書類名】明細書
【補正対象項目名】全文
【補正方法】変更
【補正の内容】
【考案の詳細な説明】
【実用新案登録請求の範囲】
【請求項１】食品を密閉保管できる食品容器の蓋体の裏面がまな板になっていることを特徴とするまな板付食品容器
【請求項２】前記食品容器が丸型・正方形型および長方形型のうちのいずれかである請求項１に記載のまな板付食品容器
【考案の詳細な説明】
【考案の属する技術分野】
【０００１】本考案は、食品を密閉保管する食品容器とまな板に関するものである。
【従来の技術】
【０００２】従来、食品密閉容器はあり、またまな板もあり、それぞれの用途をはたしていた。
【考案が解決しようとする課題】
【０００３】しかし、独身者などはまな板を持たないものも多く、まな板を用いずに食品を切断することが多かった。また、近年共かせぎで時間の無い主婦も多い。そこで、手早く食品密閉容器から食品をとりだして調理ができるまな板相当のものがあれば非常に便利である。本考案は上記の求める事に応えるためのものであり、狭い空間での場所の有効利用と利便性をはかることができるまな板付食品容器で調理・保存することを目的とする。
【課題を解決するための手段】
【０００４】本考案のまな板付食品容器は開けた蓋体の裏面がまなになっているため蓋体の裏面のまな板で食品を切断し、容器本体に収納している食品を手早く取り出して調理できる場所の有効利用・作業時間の短縮・手間の軽減になる。
【考案の実施の形態】
【０００５】丸型・正方形型および長方形型のいずれかの容器本体（符号２）と蓋体（符号１）とからなる食品容器である。（図１）。蓋体（符号１）の裏面が薄型まな板（符号３）を利用して食品などを切断する。また使用しなかった　食品の残りもしくは不必要な食品を食品容器（符号２）に入れ蓋体（符号２）で蓋をして保存収納する。蓋体（符号１）の四周辺には溝が設けられ容器本体（符号２）の上端縁がこの溝にはめ込まれ密閉状態が保たれる。容器本体（符号２）はガラスでも樹脂でもよい。蓋体は樹脂であることが好ましく、とくにテフロン樹脂がよい。まな板（符号３）は、蓋体（符号１）と一体型加工で製造されることが好ましいが、接着剤で蓋体（符号１）にとりつけてもよい。
【考案の効果】
【０００６】食品容器とまな板を結合することによって、スペースが生まれ、基本的に同種類の食物を食品容器にいれるとすると、食物を切る度ごとに十分な洗浄を行わなくても済み、結果、狭い空間での場所の有効利用、能率があがり作業時間の短縮（作業効率向上）、手間の軽減につながる。
【図面の簡単な説明】
【図１】食品容器の蓋をあけた上からの平面図である
【図２】食品容器の蓋を開けた横からの断面図である
【符号の説明】
１、　食品容器の蓋体
２、　食品容器本体
３、　まな板
４、　容器の四方合体する溝
(57)【要約】【課題】ピッキングの（サムターン回し）防止。【解決手段】サムターン１の形を、多角形にすることによりサムターン回しによるピッキングを防止する。【選択図】　図１
0003099058.tif 000002
【実用新案登録請求の範囲】
【請求項１】
多角形の形をしたサムターン
【考案の詳細な説明】
【０００１】
【考案が解決しようとする課題】
従来のサムターンでは、ピッキングの１種（サムターン回し）により、容易に、鍵が開いてしまうという問題点を有していた。
【０００２】
【課題を解決するための手段】
サムターンの形を多角形にする。
【０００３】
【考案の効果】
ピッキングの１種（サムターン回し）を行っても、サムターンの形が、多角形の為、引っかかりが無く、サムターンを、回すことが出来ない。
【図面の簡単な説明】
【図１】多角形サムターンの斜視図である。
【図２】多角形サムターンの、真上からみた平面図である。
【符号の説明】
１　多角形サムターン
【図１】
0003099058.tif 000003
【図２】
0003099058.tif 000004
(57)【要約】　　　（修正有）【課題】　安定積載が可能なレンガ構造を提供する。【解決手段】　主にレンガの前後四周縁に突出する突縁状のコンクリートガード２０を設置する。該各コンクリートガード間には凹状の接続面を形成する。該レンガを積重ね壁とする時、コンクリート若しくはセメントを該レンガの接続面に注入し、該レンガのコンクリートガードを相互に対応、貼り合せる。これにより、該レンガのコンクリートガードはコンクリートの外への溢れ出しや露出、或いは隙間の形成を防止し、該レンガと該レンガ間は安定的に接続される。【選択図】図３
0003099001.tif 000002
【実用新案登録請求の範囲】
【請求項１】
　主にレンガの前後四周縁に前後面より延長する突縁状のコンクリートガードを設置して、該コンクリートガード間に凹状の接続面を形成し、
　上記構造により、該レンガを積重ねた状態において、隣接するレンガの間にコンクリートを充填する空間を形成すると共に充填したコンクリートのはみ出しを防止し、各レンガの間の結合を強化可能としたことを特徴とする、レンガ。
【考案の詳細な説明】
【技術分野】
【０００１】
　　本考案は一種の安定積載が可能なレンガ構造に関する。特に一種のレンガの前後四周縁にコンクリートガードを設置し、該各コンクリートガード間には凹状の接続面を形成し、該レンガを積重ね壁とする時、コンクリート若しくはセメントを該レンガの接続面に注入し、該レンガのコンクリートガードを相互に対応、貼り合せ、これにより、該レンガのコンクリートガードはコンクリートの外への溢れ出しや露出、或いは隙間の形成を防止し、該レンガと該レンガ間は安定的に接続される安定積載が可能なレンガ構造に係る。
【背景技術】
【０００２】
　図１に公知の長方形レンガ１を示す。図が示すように、該レンガ１の各接続面１０は平面であるため、該レンガ１を積重ねて壁とする時、コンクリートの量が多すぎれば、該レンガ１と該レンガ１間の接続面１０からコンクリートが圧迫されて溢れ出す。或いは、コンクリートが少なすぎれば隙間を生じる（図２参照）。
　しかも、該レンガ１壁の外観には雑然とした格子状が現れ、見た目が美しくない。また、施工人員の技術の差異により、該レンガ１と該レンガ１間のコンクリートが形成する隙間の深さも一定でなく、或いはレンガが露出することによりレンガ１壁面全体の構造がもろくなってしまう。
　しかも、該レンガ１と該レンガ１間の接続面１０は平面であるため、積載後のコンクリートは量的に少ないため安定した凝固ができず、その接続は不安定である。そのため、ペンキを塗ったり、タイルなどの各種石材を貼ったりするために、最後にレンガ１壁面全体の外側においてコンクリートを補填し平坦に整える必要がある。これでは、コストがかかりすぎ、施工期間も長くなるため、人件費や各種コストはいっそう高騰してしまう。しかも、それでもレンガ１壁面の構造は接続が安定していないという欠点が残る。
【考案の開示】
【考案が解決しようとする課題】
【０００３】
　上記公知構造の欠点を解決するため、本考案は安定積載が可能なレンガ構造の提供を課題とする。
　より具体的には、レンガを積載後、レンガ壁面の外側は補修が不要で、レンガとレンガ間のコンクリートは隙間を生じたり外に溢れたりせず、安定的な積載を達成することができることを課題とする。
【課題を解決するための手段】
【０００４】
　上記課題を解決するため、本考案は下記の安定積載が可能なレンガ構造を提供する。
　それは主に、レンガの前後四周縁に前後面より延長する突縁状のコンクリートガードを設け、コンクリートガード間に凹状の接続面を形成する。
【考案の効果】
【０００５】
　上記のように、本考案のレンガ壁面は公知のレンガを積重ね形成したレンガ壁面に比べ、工期が短く、人件費と各種費用を低く抑えることができる。さらに、本考案のレンガ壁面は積重ねた後に、ペンキを塗ったり、タイルなどの各種石材を貼ったりする施工に備え、コンクリートにより補修し平坦に整える必要がなく、しかもレンガとレンガ間のコンクリートも隙間を形成したり、外に漏れたりすることがないため、その接続は非常に安定している。
【考案を実施するための最良の形態】
【０００６】
　図３が示すように、本考案はレンガ２の前後四周縁にコンクリートガード２０を設置する。該各コンクリートガード２０間には凹状の接続面２１を形成する。
　次に図４、５が示すように、該レンガ２を積重ね壁とする時、コンクリートを該レンガ２の接続面２１に注入し、該レンガ２のコンクリートガード２０を相互に対応、貼り合せる。これにより、該レンガ２のコンクリートガード２０はコンクリートの外への溢れ出しや露出、或いは隙間の形成を防止し、該レンガ２と該レンガ２間は安定的に接続される。このため、該レンガ２を積重ね壁面とした後、レンガ２壁面全体の外側はコンクリートにより補修する必要がない。
【図面の簡単な説明】
【０００７】
【図１】公知構造の立体図である。
【図２】公知の垂直積み施工図である。
【図３】本考案の立体図である。
【図４】本考案の垂直積み施工図である。
【図５】本考案の水平積み施工図である。
【符号の説明】
【０００８】
　１　レンガ
１０　接続面
　２　レンガ
２０　コンクリートガード
２１　接続面
【図１】
0003099001.tif 000003
【図２】
0003099001.tif 000004
【図３】
0003099001.tif 000005
【図４】
0003099001.tif 000006
【図５】
0003099001.tif 000007
(57)【要約】　　　（修正有）【課題】ワンタッチ式で手間がかからず安定化が可能となる。【解決の手段】シール金具１にボール２を円周上に３ヶ以上嵌め込みテーパープランジャー３をノズル４と共にスプリング５の働きで引張りボールを管壁に押付け安定的に固定する。溶接終了後はシール金具１とノズル４をスプリングの力に逆らって押えることによりボールが遊ぶ状況になり容易に取外すことが出来る。【選択図】図１
0003099009.tif 000002
【実用新案登録請求の範囲】
【請求項１】
　管溶接の際、管内壁に沿って挿入し、手を離すとスプリング（５）の力でシールガス供給ノズル（４）とテーパープランジャー（３）が引張られ、シール金具（１）に嵌め込まれた金属ボール（２）を管壁に押し付ける事になり、取り外す時はシール金具の鍔を引っ張ると容易に外れ、しかも逆止弁の働きをするノズルが閉止されガスの供給も自動的にストップするように工夫した金具である。
【考案の詳細な説明】
【考案の詳細な説明】
【０００１】この発明は溶接時におけるバックシール・ガスをワンタッチで接続供給出来るようにし、ガスの消費量を減せる金具に関するものである。
【背景技術】
【０００２】従来から管溶接の際、酸化防止の為、管内の空気を追い出し、再混入しないようシールドガス（Ｈｅ、Ａｒ等不活性ガス）を送入することが行なわれている。
※バックシールという。
▲１▼　シールガス供給ノズルと管内径の隙間を少なくする邪魔物を取付けた金具をネジ止めしてガスを供給するか、
▲２▼　シールガスノズルに金属箔をダンゴ状に巻付けて管内に挿入の上、ガスを供給するものであった。
【考案が解決しようとする課題】
【０００３】▲１▼　シールガスノズルの金具止めには取付けと取外しに手間がかかるのでこれをワンタッチで同機能を満足させる。
▲２▼　シールガスノズルに金属箔をダンゴ状に巻付けた丈では使用中に外れ何時の間にか機能が発揮出来なくなる。これを容易に固定安定化するのと金属箔のゴミ化をなくすことが出来る。
▲３▼　溶接入熱によりパイプ径がゆるくなり、ノズルが脱落するのを防止する。
▲４▼　パイプ挿入より、ガスが流れ、パイプよりはずすとガスの供給がストップし、ガスの消費を減らす。
以上により、ワンタッチ式で手間がかからず安定化が可能となる。
【課題を解決する為の手段】
【０００４】▲１▼　溶接時の高温対策で金属製とする
▲２▼　金具を管内壁に添って挿入する時はテーパープランジャーとボールがスムースに動き、逆に取外し方向に動かすとテーパーとボールが管内壁に圧力止めとなる力が働き固定化する。そのあとガスを送入する。
▲３▼　取外す時は鍔を握りスプリングを押えることによりテーパー管とボールが咥えをゆるめスムースに外せる。
▲４▼　使用中はボールの３点（以上）の支持で安定的に固定している。
【考案を実施するための最良の形態】
【０００５】本考案はシール金具（１）にボール（２）を円周上に３ヶ以上嵌め込みテーパープランジャー（３）をノズル（４）と共にスプリング（５）の働きで引張りボールを管壁に押付け安定的に固定する。溶接終了後はシール金具（１）とノズル（４）をスプリングの力に逆らって押えることによりボールが遊ぶ状況になり容易に取外すことが出来る。
【考案の効果】
【０００６】スプリングの働きでワンタッチ取付け取外しが可能となり取付工具もいらず時間もとらず作業が容易になった。
作業の途中でノズルが外れることもなくなりガスシール不足での溶接失敗も防ぐことが出来るようになり、ガスの消費が大幅に減った。内管サイズが多少違っても変わらぬ拘束力が有り多くの治具を揃えなくも適合出来るようになった。又、金属固体製なので半永久的に使用が可能となった。
【図面の簡単な説明】
【０００７】
【図１】断面図である
【図２】外観斜視図である
【符号の説明】
【０００８】（１）シール金具
（２）ボール
（３）テーパープランジャー
（４）ノズル
（５）スプリング
【図１】
0003099009.tif 000003
【図２】
0003099009.tif 000004